(57)【要約】【課題】本発明は、開閉カバーに従動ローラが設けられている場合にも駆動ローラに対して従動ローラを正確に位置決めできるとともにカバーの開閉操作を容易に行うことができる画像形成装置を提供することを目的とするものである。【解決手段】装置本体側に固定された軸支部材４０にフィードローラ１４のシャフト１４ａを軸支し、装置本体に回動可能に取付られた開閉カバー１００に設けられた支持部材５０の支持孔５１にプレスローラ１５のシャフト１５ａを遊嵌して支持する。開閉カバー１００の閉鎖時に軸支部材４０に形成された嵌着部４２にシャフト１５ａを嵌着して軸支することでプレスローラ１５をフィードローラ１４に対して正確に位置決めされるようになる。【選択図】図２
2006154604.tif 000002
【特許請求の範囲】
【請求項１】
装置本体側に軸支部材により軸支された用紙搬送用の駆動ローラと、装置本体に開閉可能に取り付けられたカバーと、前記カバーの内面に設けられた支持部材により支持された従動ローラとを備え、前記カバーの閉鎖状態において前記従動ローラが前記駆動ローラに圧接された状態に設定される画像形成装置において、前記支持部材は、前記従動ローラのシャフトを遊嵌して支持する支持孔を有するとともに前記カバーに進退可能に取り付けられて付勢部材により付勢されており、前記軸支部材は、前記従動ローラのシャフトを嵌着して軸支する嵌着部を有しており、前記従動ローラのシャフトは、前記カバーの閉鎖状態において前記嵌着部に軸支されるとともに前記付勢部材の付勢力により前記駆動ローラに向かって押圧されることを特徴とする画像形成装置。
【請求項２】
前記支持孔は、前記カバーの開動作に連動して前記従動ローラのシャフトが前記嵌着部から外れる方向に移動可能な収容スペースが形成されていることを特徴とする請求項１に記載の画像形成装置。
【請求項３】
前記支持孔の収容スペースを画定する内周面には、前記従動ローラのシャフトを前記嵌着部から外れる方向に案内するガイド面が形成されていることを特徴とする請求項２に記載の画像形成装置。
【請求項４】
前記カバーには、前記支持部材を進退方向に案内する案内部材が設けられており、案内部材の先端には前記付勢部材の付勢力による前記支持部材の移動を規制する規制部が形成されていることを特徴とする請求項１から３のいずれかに記載の画像形成装置。
【発明の詳細な説明】
【技術分野】
【０００１】
本発明は、複写機、プリンタ、ファクシミリ装置などの電子写真方式の画像形成装置に関する。
【背景技術】
【０００２】
電子写真方式の画像形成装置としては、像担持体として例えば感光体ドラムを用いて、その表面を帯電して露光することで静電潜像を形成し、静電潜像にトナーを付着させて可視像化し用紙に転写するといった画像形成を行うものが知られている。このような画像形成処理では、用紙を搬送しながら各プロセス処理を行うようにしているが、用紙の搬送中に用紙が詰まる等のトラブルが発生することがある。そのため、装置本体に開閉カバーを設け、開閉カバーを開けることで用紙搬送路内の詰まった用紙を取り除くことができるようにしている。用紙搬送路に、搬送ローラとして駆動ローラ及び従動ローラが対で配設されている場合には、装置本体側に駆動ローラを設け、開閉カバー側に従動ローラを設けておくことで、開閉カバーの開動作に連動して従動ローラが駆動ローラから離間した状態となり、用紙搬送路内の用紙を容易に取り除くことができるようになる。
【０００３】
このように駆動ローラと従動ローラとの間を接離可能とする機構としては、例えば、特許文献１では、従動ローラの支軸に固定した偏心カムにより従動ローラを駆動ローラに対して進退自在とした点が記載されている。また、特許文献２では、排紙フレームに保持した従動ローラを付勢手段により排紙フレームの閉じたときに駆動ローラに付勢し、排紙フレームが開くときに付勢手段による付勢力を解除するようにした点が記載されている。
【特許文献１】特開平７−２３７７７４号公報
【特許文献２】特開２００３−３００６４３号公報
【発明の開示】
【発明が解決しようとする課題】
【０００４】
駆動ローラと従動ローラとの間を接離可能とすることで用紙のジャム等の際に用紙を容易に除去できるようになるが、従動ローラが駆動ローラに対して移動可能な状態になると駆動ローラに対する従動ローラの位置決め及び圧接力が不安定になって用紙の斜行等の原因となりやすい。特に、開閉カバーに従動ローラを取り付ける場合、開閉カバーにガタが生じてくると従動ローラが駆動ローラに対して正確に位置決めされなくなり、用紙が斜行するようになる。
【０００５】
そこで、本発明は、開閉カバーに従動ローラが設けられている場合にも駆動ローラに対して従動ローラを正確に位置決めできるとともにカバーの開閉操作を容易に行うことができる画像形成装置を提供することを目的とするものである。
【課題を解決するための手段】
【０００６】
本発明に係る画像形成装置は、装置本体側に軸支部材により軸支された用紙搬送用の駆動ローラと、装置本体に開閉可能に取り付けられたカバーと、前記カバーの内面に設けられた支持部材により支持された従動ローラとを備え、前記カバーの閉鎖状態において前記従動ローラが前記駆動ローラに圧接された状態に設定される画像形成装置において、前記支持部材は、前記従動ローラのシャフトを遊嵌して支持する支持孔を有するとともに前記カバーに進退可能に取り付けられて付勢部材により付勢されており、前記軸支部材は、前記従動ローラのシャフトを嵌着して軸支する嵌着部を有しており、前記従動ローラのシャフトは、前記カバーの閉鎖状態において前記嵌着部に軸支されるとともに前記付勢部材の付勢力により前記駆動ローラに向かって押圧されることを特徴とする。さらに、前記支持孔は、前記カバーの開動作に連動して前記従動ローラのシャフトが前記嵌着部から外れる方向に移動可能な収容スペースが形成されていることを特徴とする。さらに、前記支持孔の収容スペースを画定する内周面には、前記従動ローラのシャフトを前記嵌着部から外れる方向に案内するガイド面が形成されていることを特徴とする。さらに、前記カバーには、前記支持部材を進退方向に案内する案内部材が設けられており、案内部材の先端には前記付勢部材の付勢力による前記支持部材の移動を規制する規制部が形成されていることを特徴とする。
【発明の効果】
【０００７】
上記のような構成を有することで、従動ローラのシャフトを嵌着して軸支する嵌着部を駆動ローラの軸支部材に設け、従動ローラのシャフトを支持部材の支持孔に遊嵌するようにしているので、従動ローラのシャフトは駆動ローラが軸支されている軸支部材に軸支されるようになり、従動ローラは駆動ローラに対して常に正確に位置決めされるようになる。また、支持部材がカバーに進退可能に取り付けられて付勢部材により付勢されているので、従動ローラは嵌着部に軸支された状態で支持部材とともに駆動ローラに向かって押圧され、駆動ローラとの間に安定した圧接状態を実現することができる。
【０００８】
また、支持孔は、カバーの開動作に連動して従動ローラのシャフトが嵌着部から外れる方向に移動可能な収容スペースが形成されていることで、カバーが開いて従動ローラが嵌着部から外れる際に収容スペースに移動するので、カバーの開操作を容易に行うことができる。
【０００９】
また、支持孔の収容スペースを画定する内周面に、従動ローラのシャフトを嵌着部から外れる方向に案内するガイド面が形成されていることで、従動ローラのシャフトが嵌着部から容易に外れるようになり、カバーの開操作を確実に行うことができるようになる。
【００１０】
また、カバーに、支持部材を進退方向に案内する案内部材を設け、案内部材の先端に付勢部材の付勢力による支持部材の移動を規制する規制部を形成することで、支持部材の進退動作を安定して行うことができるようになり、カバーの開閉操作をより確実に行うことが可能となる。
【発明を実施するための最良の形態】
【００１１】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１２】
図１は、本発明に係る画像形成装置全体の概略断面図である。画像形成装置１の上部には用紙排出トレイ１０が設けられ、その下部には、記録部２及び給紙部３が配されている。
【００１３】
給紙部３では、給紙カセット１１が配置されており、フラッパ１２に所定のサイズの用紙が複数枚積載されている。給紙カセット１１の右端部には、ピックアップローラ１３が配置されている。フラッパ１２は、積載された用紙の上面がピックアップローラ１３に圧接するように、図示しないバネ部材により上方に付勢されている。この状態でピックアップローラ１３が回転駆動すると、摩擦力により用紙が１枚ずつ用紙搬送路に給紙されるようになる。
【００１４】
給紙された用紙は、まずフィードローラ１４及びプレスローラ１５により記録部２に搬送される。記録部２では、搬送された用紙に記録するために、現像器１６、クリーニング機構１７、コロナ帯電器１８、感光体ドラム１９、転写ローラ２０、レーザスキャナユニット２１及び定着ローラ２２が備えられている。クリーニング機構１７は、転写後の感光体ドラム１９の表面に付着した残留トナーや紙粉等の異物をクリーニングローラにより捕捉して感光体ドラム１９の表面を清掃する。コロナ帯電器１８は、放電ワイヤからのコロナ放電により感光体ドラム１９の表面を一様に帯電する。一様に帯電された感光体ドラム１９に、レーザスキャナユニット２１で画像記録信号に応じて露光することで静電潜像が形成される。そして、現像器１６内のトナーを感光体ドラム１９に形成された静電潜像に転移させて、静電潜像を可視像化する。転写ローラ２０は、用紙を挟んで感光体ドラム１９と対向する位置に設置されており、所定の電圧が印加されると感光体ドラム１９表面に形成されたトナー像が用紙に転写される。そして、転写されたトナー像は、定着ローラ２２及びプレスローラ２３によって挟持されて加熱・プレスされ用紙に定着される。定着された用紙は、排紙ローラ２４及びプレスローラ２５の間に挟持されて用紙排出トレイ１０に搬出される。
【００１５】
また、装置本体の側面には、手差し給紙機構及び反転搬送機構が設けられており、手差し給紙を行う場合には、側面カバー２６を開いて給紙ローラ２７に用紙を差し込むことで行われる。差し込まれた用紙は、給紙ローラ２７によりフィードローラ１４及びプレスローラ１５に搬送されて記録動作が行われる。また、反転搬送を行う場合には、片面に記録した用紙が一旦排紙ローラ２４及びプレスローラ２５の間に挟持されて搬出されている途中で排紙ローラ２４を逆回転して反転搬送路に搬送して、フィードローラ２８及びプレスローラ２９、フィードローラ３０及びプレスローラ３１の２対の搬送ローラにより下方に向けて搬送する。そして、再度フィードローラ１４及びプレスローラ１５に搬送されてもう一方の面に記録動作が行われ、用紙の両面に記録されるようになる。
【００１６】
図２は、駆動ローラであるフィードローラ１４と従動ローラであるプレスローラ１５との間を離間した状態の概略斜視図である。図２では、開閉カバー１００が装置本体に設けられた回転軸１０１に回動可能に装着されており、図１の反転搬送機構と共に開閉カバー１００が開閉することで、ピックアップローラ１３からフィードローラ１４及びプレスローラ１５、転写ローラ２０に至る用紙搬送路が開閉されるようになる。そして、装置本体側にフィードローラ１４が取り付けられており、開閉カバー１００にプレスローラ１５が取り付けられているため、開閉カバー１００の開動作に連動してプレスローラ１５はフィードローラ１４から離間するようになる。
【００１７】
フィードローラ１４のシャフト１４ａは、両端部を軸支部材４０により軸支されており、軸支部材４０は、本体フレームの取付台３２に固定されている。また、プレスローラ１５のシャフト１５ａは、両端部を支持部材５０の支持孔５１に遊嵌して支持されており、支持部材５０は、後述するように開閉カバー１００の内面に進退自在となるように設けられている。
【００１８】
図３は、図２において側面からみた概略図である。フィードローラ１４のシャフト１４ａは、軸支部材４０に穿設された円形の軸孔４１に挿着されている。軸孔４１に隣接して嵌着部４２が形成されている。嵌着部４２は、断面コ字状に形成されており、その内面の上下幅はプレスローラ１５のシャフト１５ａの直径とほぼ同じかわずかに大きくなるように設定されている。また、嵌着部４２の内面の上下幅を２等分する面はほぼ軸孔４１の中心を通るように設定されている。嵌着部４２の上部を構成する突出部４３は、途中から上方に折れ曲がるように形成され、プレスローラ１５のシャフト１５ａを案内するガイドとなっている。
【００１９】
プレスローラ１５のシャフト１５ａは、支持部材５０に略矩形状に形成された支持孔５１に遊嵌されている。図４は、支持部材５０の開閉カバー１００への取付状態を示す分解図である。支持部材５０は、支持孔５１が形成された矩形状の基体部５２に開閉カバーに装着される差込部５３がほぼ垂直方向に突出して設けられている。差込部５３の先端部は、開閉カバーの差込孔６０に差し込まれ、支持部材５０は差込み方向に進退自在に装着される。そして、差込部５３の周囲には付勢バネ５４が巻き付けられており、基体部５２に圧接して支持部材５０を開閉カバー１００から離間する方向に付勢している。開閉カバー１００には、１対の案内部材６１が基体部５２を挟持するように立設している。各案内部材６１は、支持部材５０の進退方向に沿って直線状に延設されており、その先端部には鉤状に内側に突出した規制部６２が形成されている。したがって、基体部５２が付勢バネ５４により押圧されると、基体部５２は案内部材６１に沿って移動し、案内部材６１の規制部６２に当接した状態で保持されるようになっている。
【００２０】
図５から図１０は、開閉カバー１００が閉鎖した状態から開いた状態になるまでの状態を示す概略側面図である。図５は、開閉カバー１００が閉鎖した状態を示しており、フィードローラ１４にプレスローラ１５が圧接した状態となっている。プレスローラ１５のシャフト１５ａは、嵌着部４２の内面の上下面の間に嵌着されて軸支されており、付勢バネ５４により支持部材５０の基体部５２がフィードローラ１４に向かって押圧されることで支持孔５１の内面に形成された当接部５１ａがシャフト１５ａを押圧してプレスローラ１５がフィードローラ１４に圧接される。そして、プレスローラ１５がフィードローラ１４に圧接された状態では、プレスローラ１５が押し戻されて支持部材５０は付勢バネ５４の付勢力に抗して開閉カバー側に退避した位置に保持されるようになる。そのため、支持部材５０の基体部５２は、規制部６２から離間した状態となっている。
【００２１】
この状態では、プレスローラ１５のシャフト１５ａは、嵌着部４２の上下面と支持孔５１の当接部５１ａの３点で支持されているため、安定した状態で保持される。また、嵌着部４２の内面の上下幅を２等分する面がフィードローラ１４のシャフト１４ａの中心を通るように正確に設定されているため、嵌着部４２に軸支されたシャフト１５ａとシャフト１４ａとの間の位置関係は正確に位置決めされる。したがって、フィードローラ１４に対するプレスローラ１５の位置決めが正確に行われて用紙搬送を安定して行うことができるようになる。
【００２２】
図６は、図５の状態から開閉カバー１００が開く方向（時計回り）に回動した状態を示している。この状態では、開閉カバー１００とともに支持部材５０も回動し、図６において右斜め上方向に移動するようになる。そのため、支持部材５０は、付勢バネ５４の付勢力によりフィードローラ１４の方に移動するようになるが、案内部材６１の規制部６２に支持部材５０の基体部５２が当接し規制されるようになる。したがって、支持孔５１の当接部５１ａはプレスローラ１５のシャフト１５ａから離れ、シャフト１５ａは付勢バネ５４の押圧から解放される。このときシャフト１５ａは、嵌着部４２に軸支されたままの状態となっているが、支持孔５１の内周面とは離れた状態となっている。
【００２３】
図７は、図６の状態からさらに開閉カバー１００が開く方向に回動した状態を示している。支持孔５１の当接部５１ａから下方には、プレスローラ１５のシャフト１５ａが嵌着部４２から外れる方向に移動可能な収容スペース５１ｂが形成されている。収容スペース５１ｂは、当接部５１ａから下方の内周面が開閉カバー１００側に拡がっており、さらに、フィードローラ１４側にはガイド面に相当する右下がりの斜面部５１ｃが形成されている。図６の状態でシャフト１５ａは支持孔５１に遊嵌した状態となっているが、開閉カバー１００の回動により支持部材５０が右斜め上方向にさらに回動すると、斜面部５１ｃがシャフト１５ａに当接するようになる。そのため、シャフト１５ａは、斜面部５１ｃに押圧されて嵌着部４２から外れる方向に移動し、収容スペース５１ｂ内を斜面部５１ｃに案内されて右斜め下方向に移動するようになる。この状態では、突出部４３が上方に折れ曲がるように形成されているため、シャフト１５ａは、右斜め下方向に移動するため嵌着部４２の上面から離れるが、斜面部５１ｃ及び嵌着部４２の内面の下面に接触した状態となって、開閉カバー側に移動するようになる。
【００２４】
図８は、図７の状態からさらに開閉カバー１００が開く方向に回動した状態を示している。支持部材５０は、図７の状態からさらに右斜め上方向に移動するため、シャフト１５ａは、収容スペース１５ｂの斜面部１５ｃ及び底面に接触した状態で支持部材５０とともに移動するようになる。その際に嵌着部４２の上部を画定する突出部４３は、上方に折れ曲がっているためにシャフト１５ａは突出部４３に衝突することなく嵌着部４２から外れることが可能となる。図９及び図１０は、開閉カバー１００が開く方向に回動していく状態を順次示しているが、支持孔５１の収容スペース５１ｂに保持されたシャフト１５ａは、突出部４３に沿って右斜め上方向に移動していくようになるため、シャフト１５ａを突出部４３を撓ませることなくスムーズに取り外すことができる。また、開閉カバー１００の閉じ動作の場合には、図１０から図５へ逆に動作してシャフト１５ａがスムーズに嵌着部４２に軸支されて付勢バネ５４により押圧されるようになる。したがって、開閉カバー１００の開閉動作を容易に行うことができる。
【００２５】
以上のようにシャフト１５ａが突出部４３を撓ませることなく嵌着部４２に嵌着することができるので、突出部４３の剛性を高めてシャフト１５ａを安定して軸支することができるようになる。
【００２６】
なお、収容スペース５１ｂの形状は、シャフト１５ａが嵌着部４２から外れる方向に移動可能なような形状であればよく、上述した形状に限定されない。
【図面の簡単な説明】
【００２７】
【図１】本発明に係る実施形態に関する概略断面図である。
【図２】フィードローラとプレスローラとの間を離間した状態の概略斜視図である。
【図３】図２において側面からみた概略図である。
【図４】支持部材の開閉カバーへの取付状態を示す分解図である。
【図５】開閉カバーが閉鎖した状態を示す概略側面図である。
【図６】開閉カバーが開く方向に回動した状態を示す概略側面図である。
【図７】開閉カバーが開く方向に回動した状態を示す概略側面図である。
【図８】開閉カバーが開く方向に回動した状態を示す概略側面図である。
【図９】開閉カバーが開く方向に回動した状態を示す概略側面図である。
【図１０】開閉カバーが開く方向に回動した状態を示す概略側面図である。
【符号の説明】
【００２８】
１    画像形成装置
２    記録部
３    給紙部
14    フィードローラ
14a   シャフト
15    プレスローラ
15a   シャフト
40    軸支部材
41    軸孔
42    嵌着部
43    突出部
50    支持部材
51    支持孔
51a   当接部
51b   収容スペース
51c   斜面部
54    付勢バネ
61    案内部材
62    規制部
100   開閉カバー
101   回転軸
【図１】
2006154604.tif 000003
【図２】
2006154604.tif 000004
【図３】
2006154604.tif 000005
【図４】
2006154604.tif 000006
【図５】
2006154604.tif 000007
【図６】
2006154604.tif 000008
【図７】
2006154604.tif 000009
【図８】
2006154604.tif 000010
【図９】
2006154604.tif 000011
【図１０】
2006154604.tif 000012